(57)【要約】      （修正有）【課題】  読取素子の移動終了判定を即座に行い、データ情報の読取開始処理を迅速に行なうことが可能な情報再生装置を提供する。【解決手段】  読取素子１０１の特定付属情報への移動が決定した時点で、その特定付属情報に対し、情報媒体１０７に記録された付属情報情報と同様のインタリーブ処理を行い、そのインタリーブ済の特定付属情報と、情報媒体１０７から読み出したインタリーブされた付属情報情報とを即座に比較することとした。【選択図】  図１
2006079680.tif 000002
【特許請求の範囲】
【請求項１】
１つの情報単位毎に与えられ、かつ１つの情報単位内で完結する並べ替えが施された番地情報が記憶された情報媒体から、読み出しを希望する情報単位に与えられる前記番地情報を検索する情報媒体検索装置において、
前記情報媒体から、前記番地情報を読み出して読取番地情報を得る読取素子と、
前記情報媒体からの読み出し要求がなされている情報単位の番地情報に対応する目的番地情報を出力する制御回路と、
前記目的番地情報に対して、前記１つの情報単位内で完結する並べ替えと同じ手順で、並べ替えを施すインタリーブ回路と、
前記読取番地情報と前記インタリーブ回路から出力される目的番地情報とを比較する比較回路と、を備え、
前記制御回路は、前記比較回路の出力に基づいて、前記読取素子が所定の読み出し位置に移動したか否かを判定する、
ことを特徴とする情報媒体検索装置。
【請求項２】
１つの情報単位毎に与えられ、かつ１つの情報単位内で完結する並べ替えが施された番地情報が記憶された情報媒体から、読み出しを希望する情報単位に与えられる前記番地情報を検索する情報媒体検索装置において、
前記情報媒体から、前記番地情報を読み出して読取番地情報を得る読取素子と、
前記読取番地情報に対して、前記１つの情報単位内で完結する並べ替え手順とは逆の手順で、並べ替えを施すデインタリーブ回路と、
前記読取番地情報、あるいは前記デインタリーブ回路で並べ替えが行われた前記読取番地情報のいずれかを、所定の制御信号に基づいて選択し出力する第１の選択回路と、
前記情報媒体からの読み出し要求がなされている情報単位の番地情報に対応する目的番地情報を出力する制御回路と、
前記目的番地情報に対して、前記１つの情報単位内で完結する並べ替えと同じ手順で、並べ替えを施すインタリーブ回路と、
前記目的番地情報、あるいは前記インタリーブ回路で並べ替えが行なわれた目的番地情報のいずれかを、前記所定の制御信号に基づいて選択し出力する第２の選択回路と、
前記第１の選択回路からの出力値と前記第２の選択回路からの出力値とを比較する比較回路と、を備え、
前記制御回路は、前記比較回路の出力に基づいて、前記読取素子が所定の読み出し位置に移動したか否かを判定する、
ことを特徴とする情報媒体検索装置。
【請求項３】
１つの情報単位毎に与えられ、かつ１つの情報単位内で完結する並べ替えが施された番地情報が記憶された情報媒体から、読み出しを希望する情報単位に与えられる前記番地情報を検索する情報媒体検索方法において、
前記情報媒体から、前記番地情報を読み出して読取番地情報を得る番地情報読取ステップと、
前記情報媒体からの読み出し要求がなされている情報単位の番地情報に対応する目的番地情報を出力する目的番地情報出力ステップと、
前記目的番地情報に対して、前記１つの情報単位内で完結する並べ替えと同じ手順で、並べ替えを施すインタリーブステップと、
前記読取番地情報と前記インタリーブステップにて並べ替えが行われた目的番地情報とを比較する比較ステップと、
前記比較ステップにて得られる比較結果に基づいて、前記情報媒体から情報を読み出す読取素子が、所定の読み出し位置に移動したか否かを判定する判定ステップと、を備える、
ことを特徴とする情報媒体検索方法。
【請求項４】
１つの情報単位毎に与えられ、かつ１つの情報単位内で完結する並べ替えが施された番地情報が記憶された情報媒体から、読み出しを希望する情報単位に与えられる前記番地情報を検索する情報媒体検索方法において、
前記情報媒体から、前記番地情報を読み出して読取番地情報を得る番地情報読取ステップと、
前記読取番地情報に対して、前記１つの情報単位内で完結する並べ替え手順とは逆の手順で、並べ替えを施すデインタリーブステップと、
前記読取番地情報、あるいは前記デインタリーブ回路で並べ替えが行われた読取番地情報のいずれかを、所定の制御信号に基づいて選択し出力する第１の選択ステップと、
前記情報媒体からの読み出し要求がなされている情報単位の番地情報に対応する目的番地情報を出力する目的番地情報出力ステップと、
前記目的番地情報に対して、前記１つの情報単位内で完結する並べ替えと同じ手順で、並べ替えを施すインタリーブステップと、
前記目的番地情報、あるいは前記インタリーブ回路で並べ替えが行なわれた目的番地情報のいずれかを、前記所定の制御信号に基づいて選択し出力する第２の選択ステップと、
前記第１の選択ステップにて出力される出力値と前記第２の選択ステップにて出力される出力値とを比較する比較ステップと、
前記比較ステップにて得られる比較結果に基づいて、前記情報媒体から情報を読み出す読取素子が所定の読み出し位置に移動したか否かを判定する判定ステップと、を備える、
ことを特徴とする情報媒体検索方法。
【発明の詳細な説明】
【技術分野】
【０００１】
本発明は、情報再生装置の制御に関するものであり、特に、記憶媒体に記録されている付属情報の検索装置の制御に関するものである。
【背景技術】
【０００２】
一般に、光ディスクやテープなどの情報媒体に記録されている情報には、前記情報媒体から読み出して利用される音楽や画像、あるいはプログラムデータなどのデータ情報に加えて、それらデータ情報の前記情報媒体上での配置番号やそれらデータ情報の特性などが書き込まれている付属情報が含まれている。これら付属情報は、情報媒体の記録形式によっては、読み取り時の誤りを少なくする為に、図５に示すようなインタリーブと呼ばれる並べ替え処理が施された形で記録されている場合がある。付属情報がインタリーブされた形で記録されている情報媒体としては、例えばBlu-Ray Discがある（例えば、非特許文献１参照）。
【０００３】
情報媒体、特にディスクメディアの再生においては、一般的に、情報媒体に記録されている任意のデータ情報を読み出す際には、情報媒体の読取素子（例えば光ピックアップや磁気ヘッドなど）を、読取の目標とする情報の直前まで高速に移動させ、その後、前記付属情報を読み取って読取素子が正確な位置に移動したか否かを判定し、読取素子が正確な位置にあると判断した場合に所定の情報を読み出す処理が行われている。
【０００４】
図４は、従来の情報媒体検索装置における読取素子の移動終了判定部４００の構成を示す図である。移動終了判定部４００は、読取素子が目標とする位置に正確に移動したか否かを判定するものであり、読取素子４０１と、読取付属情報格納部４０２と、デインタリーブ回路４０３と、制御回路４０４と、目標付属情報格納部４０５と、比較回路４０６とを有している。読取素子４０１は、光ディスク等の情報媒体４０７から、データ情報やインタリーブ済の読取付属情報ｄ１を読み出すものである。読取付属情報格納部４０２は、読取素子４０１により読み出されたインタリーブ済の読取付属情報ｄ１を格納するものである。デインタリーブ回路４０３は、読取付属情報ｄ１のインタリーブを解き、付属情報ｄ２を出力するものである。制御回路４０４は、読取素子４０１の移動目標先を表す目標付属情報ｄ３を出力すると共に、比較回路４０６からの出力に基づき読取素子４０１の移動終了を判断するものである。目標付属情報格納部４０５は、制御回路４０４から出力される目標付属情報ｄ３を格納するものである。比較回路４０６は、付属情報ｄ２と目標付属情報ｄ３とを比較するものである。
【０００５】
次に、動作について説明する。
情報再生装置の外部からの指示により、所定のデータ情報の再生要求が生じると、制御回路４０４は、前記データ情報に付される付属情報に対応する目標付属情報ｄ３を出力し、目標付属情報格納部４０５に格納する。そして、読取素子４０１を、情報媒体上の目標付属情報ｄ３の手前付近まで粗い制御で移動、停止させる。読取素子４０１は、移動先にてインタリーブ済の読取付属情報ｄ１を読み出し、読み出した読取付属情報ｄ１を読取付属情報格納部４０２に格納する。デインタリーブ回路４０３は、インタリーブ済の読取付属情報ｄ１のインタリーブを解き、これを付属情報ｄ２として比較回路４０６に出力する。
【０００６】
比較回路４０６は、目標付属情報格納部４０５に格納されている目標付属情報ｄ３と、デインタリーブ回路４０３から出力される付属情報ｄ２のそれぞれの値を比較し、これらの値が一致した場合は、制御回路４０４に対して一致した旨を通知する。制御回路４０４は、付属情報ｄ２と目標付属情報ｄ３の値が一致した旨の通知を受けると、読取素子４０１の正確な移動が終了したものと判断する。
【非特許文献１】「次世代光ディスク  解体新書」，日経エレクトニクスブックス，２００３年１０月７日発行（国際標準図書番号:ＩＳＢＮ４−８２２２−０２４１−０），ｐ.７２，第１５図
【発明の開示】
【発明が解決しようとする課題】
【０００７】
しかしながら、上記従来の情報媒体検索装置では、情報媒体４０７の読取素子４０１を、目標付属情報ｄ３付近まで粗い制御で移動させ、移動先にて付属情報を情報媒体から読み出したとしても、その読取付属情報ｄ１は、インタリーブが掛かったものであるため、読取素子４０１が目的位置まで移動できたかどうかの判断を即座に行なうことができない。つまり、読み取った読取付属情報ｄ１にデインタリーブ処理を施して、初めて目標位置まで移動できたかどうかの判断ができる状態となるため、デインタリーブ処理は、読取素子４０１の移動、及びデータ情報の読み取り開始処理の高速化を阻害する処理となっている。
【０００８】
本発明は、上記課題を解決するためになされたものであり、読取素子の移動終了判定を即座に行い、データ情報の読取開始処理を迅速に行なうことが可能な情報媒体検索装置を提供することを目的とする。
【課題を解決するための手段】
【０００９】
上記課題を解決するために、本願の請求項１に係る発明は、１つの情報単位毎に与えられ、かつ１つの情報単位内で完結する並べ替えが施された番地情報が記憶された情報媒体から、読み出しを希望する情報単位に与えられる前記番地情報を検索する情報媒体検索装置において、前記情報媒体から、前記番地情報を読み出して読取番地情報を得る読取素子と、前記情報媒体からの読み出し要求がなされている情報単位の番地情報に対応する目的番地情報を出力する制御回路と、前記目的番地情報に対して、前記１つの情報単位内で完結する並べ替えと同じ手順で、並べ替えを施すインタリーブ回路と、前記読取番地情報と前記インタリーブ回路から出力される目的番地情報とを比較する比較回路とを備え、前記制御回路は、前記比較回路の出力に基づいて、前記読取素子が所定の位置に移動したか否かを判定することを特徴とする。
【００１０】
また、本願の請求項２に係る発明は、１つの情報単位毎に与えられ、かつ１つの情報単位内で完結する並べ替えが施された番地情報が記憶された情報媒体から、読み出しを希望する情報単位に与えられる前記番地情報を検索する情報媒体検索装置において、前記情報媒体から、前記番地情報を読み出して読取番地情報を得る読取素子と、前記読取番地情報に対して、前記１つの情報単位内で完結する並べ替え手順とは逆の手順で、並べ替えを施すデインタリーブ回路と、前記読取番地情報、あるいは前記デインタリーブ回路で並べ替えが行われた前記読取番地情報のいずれかを、所定の制御信号に基づいて選択し出力する第１の選択回路と、前記情報媒体からの読み出し要求がなされている情報単位の番地情報に対応する目的番地情報を出力する制御回路と、前記目的番地情報に対して、前記１つの情報単位内で完結する並べ替えと同じ手順で、並べ替えを施すインタリーブ回路と、前記目的番地情報、あるいは前記インタリーブ回路で並べ替えが行なわれた目的番地情報のいずれかを、前記所定の制御信号に基づいて選択し出力する第２の選択回路と、前記第１の選択回路からの出力値と前記第２の選択回路からの出力値とを比較する比較回路とを備え、前記制御回路は、前記比較回路の出力に基づいて、前記読取素子が所定の読み出し位置に移動したか否かを判定することを特徴とする。
【００１１】
また、本願の請求項３に係る発明は、１つの情報単位毎に与えられ、かつ１つの情報単位内で完結する並べ替えが施された番地情報が記憶された情報媒体から、読み出しを希望する情報単位に与えられる前記番地情報を検索する情報媒体検索方法において、前記情報媒体から、前記番地情報を読み出して読取番地情報を得る番地情報読取ステップと、前記情報媒体からの読み出し要求がなされている情報単位の番地情報に対応する目的番地情報を出力する目的番地情報出力ステップと、前記目的番地情報に対して、前記１つの情報単位内で完結する並べ替えと同じ手順で、並べ替えを施すインタリーブステップと、前記読取番地情報と前記インタリーブステップにて並べ替えが行われた目的番地情報とを比較する比較ステップと、前記比較ステップにて得られる比較結果に基づいて、前記情報媒体から情報を読み出す読取素子が所定の読み出し位置に移動したか否かを判定する判定ステップとを備えることを特徴とする。
【００１２】
また、本願の請求項４に係る発明は、１つの情報単位毎に与えられ、かつ１つの情報単位内で完結する並べ替えが施された番地情報が記憶された情報媒体から、読み出しを希望する情報単位に与えられる前記番地情報を検索する情報媒体検索方法において、前記情報媒体から、前記番地情報を読み出して読取番地情報を得る番地情報読取ステップと、前記読取番地情報に対して、前記１つの情報単位内で完結する並べ替え手順とは逆の手順で、並べ替えを施すデインタリーブステップと、前記読取番地情報、あるいは前記デインタリーブ回路で並べ替えが行われた読取番地情報のいずれかを、所定の制御信号に基づいて選択し出力する第１の選択ステップと、前記情報媒体からの読み出し要求がなされている情報単位の番地情報に対応する目的番地情報を出力する目的番地情報出力ステップと、前記目的番地情報に対して、前記１つの情報単位内で完結する並べ替えと同じ手順で、並べ替えを施すインタリーブステップと、前記目的番地情報、あるいは前記インタリーブ回路で並べ替えが行なわれた目的番地情報のいずれかを、前記所定の制御信号に基づいて選択し出力する第２の選択ステップと、前記第１の選択ステップにて出力される出力値と前記第２の選択ステップにて出力される出力値とを比較する比較ステップと、前記比較ステップにて得られる比較結果に基づいて、前記情報媒体から情報を読み出す読取素子が所定の読み出し位置に移動したか否かを判定する判定ステップとを備えることを特徴とする。
【発明の効果】
【００１３】
本願請求項１に係る発明によれば、１つの情報単位毎に与えられ、かつ１つの情報単位内で完結する並べ替えが施された番地情報が記憶された情報媒体から、読み出しを希望する情報単位に与えられる前記番地情報を検索する情報媒体検索装置において、前記情報媒体から、前記番地情報を読み出して読取番地情報を得る読取素子と、前記情報媒体からの読み出し要求がなされている情報単位の番地情報に対応する目的番地情報を出力する制御回路と、前記目的番地情報に対して、前記１つの情報単位内で完結する並べ替えと同じ手順で、並べ替えを施すインタリーブ回路と、前記読取番地情報と前記インタリーブ回路から出力される目的番地情報とを比較する比較回路とを備え、前記制御回路は、前記比較回路の出力に基づいて、前記読取素子が所定の読み出し位置に移動したか否かを判定することとしたので、従来必要とされていたデインタリーブに要する時間を省略することができ、これにより、付属情報の検索に要する時間を短縮することが可能となる。
【００１４】
また、本願請求項２に係る発明は、１つの情報単位毎に与えられ、かつ１つの情報単位内で完結する並べ替えが施された番地情報が記憶された情報媒体から、読み出しを希望する情報単位に与えられる前記番地情報を検索する情報媒体検索装置において、前記情報媒体から、前記番地情報を読み出して読取番地情報を得る読取素子と、前記読取番地情報に対して、前記１つの情報単位内で完結する並べ替え手順とは逆の手順で、並べ替えを施すデインタリーブ回路と、前記読取番地情報、あるいは前記デインタリーブ回路で並べ替えが行われた前記読取番地情報のいずれかを、所定の制御信号に基づいて選択し出力する第１の選択回路と、前記情報媒体からの読み出し要求がなされている情報単位の番地情報に対応する目的番地情報を出力する制御回路と、前記目的番地情報に対して、前記１つの情報単位内で完結する並べ替えと同じ手順で、並べ替えを施すインタリーブ回路と、前記目的番地情報、あるいは前記インタリーブ回路で並べ替えが行なわれた目的番地情報のいずれかを、前記所定の制御信号に基づいて選択し出力する第２の選択回路と、前記第１の選択回路からの出力値と前記第２の選択回路からの出力値とを比較する比較回路とを備え、前記制御回路は、前記比較回路の出力に基づいて、前記読取素子が所定の読み出し位置に移動したか否かを判定することとしたので、情報媒体や読取素子の特性、あるいは再生倍速や読取エラーの発生状態など、情報媒体からのデータの読み取り状況に応じて、付属情報の検索精度、及び検索速度の最適化を図ることが可能となる。
【００１５】
また、本願請求項３に係る発明によれば、１つの情報単位毎に与えられ、かつ１つの情報単位内で完結する並べ替えが施された番地情報が記憶された情報媒体から、読み出しを希望する情報単位に与えられる前記番地情報を検索する情報媒体検索方法において、前記情報媒体から、前記番地情報を読み出して読取番地情報を得る番地情報読取ステップと、前記情報媒体からの読み出し要求がなされている情報単位の番地情報に対応する目的番地情報を出力する目的番地情報出力ステップと、前記目的番地情報に対して、前記１つの情報単位内で完結する並べ替えと同じ手順で、並べ替えを施すインタリーブステップと、前記読取番地情報と前記インタリーブステップにて並べ替えが行われた目的番地情報とを比較する比較ステップと、前記比較ステップにて得られる比較結果に基づいて、前記情報媒体から情報を読み出す読取素子が所定の読み出し位置に移動したか否かを判定する判定ステップとを備えることとしたので、従来必要とされていたデインタリーブに要する時間を省略することができ、これにより、付属情報の検索に要する時間を短縮することが可能となる。
【００１６】
また、本願請求項４に係る発明によれば、１つの情報単位毎に与えられ、かつ１つの情報単位内で完結する並べ替えが施された番地情報が記憶された情報媒体から、読み出しを希望する情報単位に与えられる前記番地情報を検索する情報媒体検索方法において、前記情報媒体から、前記番地情報を読み出して読取番地情報を得る番地情報読取ステップと、前記読取番地情報に対して、前記１つの情報単位内で完結する並べ替え手順とは逆の手順で、並べ替えを施すデインタリーブステップと、前記読取番地情報、あるいは前記デインタリーブ回路で並べ替えが行われた読取番地情報のいずれかを、所定の制御信号に基づいて選択し出力する第１の選択ステップと、前記情報媒体からの読み出し要求がなされている情報単位の番地情報に対応する目的番地情報を出力する目的番地情報出力ステップと、前記目的番地情報に対して、前記１つの情報単位内で完結する並べ替えと同じ手順で、並べ替えを施すインタリーブステップと、前記目的番地情報、あるいは前記インタリーブ回路で並べ替えが行なわれた目的番地情報のいずれかを、前記所定の制御信号に基づいて選択し出力する第２の選択ステップと、前記第１の選択ステップにて出力される出力値と前記第２の選択ステップにて出力される出力値とを比較する比較ステップと、前記比較ステップにて得られる比較結果に基づいて、前記情報媒体から情報を読み出す読取素子が所定の読み出し位置に移動したか否かを判定する判定ステップとを備えることとしたので、情報媒体や読取素子の特性、あるいは再生倍速や読取エラーの発生状態など、情報媒体からのデータの読み取り状況に応じて、付属情報の検索精度、及び検索速度の最適化を図ることが可能となる。
【発明を実施するための最良の形態】
【００１７】
（実施の形態１）
図１は本発明の実施の形態１による付属情報検索部における読取素子の移動終了判定部１００の構成を表す図である。
【００１８】
本実施の形態１の移動終了判定部１００は、読取素子１０１と、読取付属情報格納部１０２と、制御回路１０３と、インタリーブ回路１０４と、目標付属情報格納部１０５と、比較回路１０６とを有している。本実施の形態１に係る移動終了判定部１００と上記従来の移動終了判定部４００との違いは、従来の移動終了判定部４００に設けられていたデインタリーブ回路４０３を削除し、且つ、制御回路１０３の後段に、インタリーブ回路１０４を追加した点である。
【００１９】
読取素子１０１は、光ディスク等の情報媒体１０７からデータ情報や該データ情報の番地情報等が含まれる付属情報を読み出すものである。ここで、本実施の形態１における情報媒体１０７には、図５に示すような並べ替え（インタリーブ）処理が施された付属情報が記録されており、このため、読取素子１０１は、並べ替えが施された付属情報を読取付属情報ｄ１として読み出す。読取付属情報格納部１０２は、読取素子１０１により読み出された読取付属情報ｄ１を格納するものである。
【００２０】
制御回路１０３は、読取素子１０１の移動目標を表す目標付属情報ｄ３を出力すると共に、比較回路１０６からの出力に基づき読取素子１０１の移動終了を判定するものである。インタリーブ回路１０４は、制御回路１０３から出力される目標付属情報ｄ３に対して、所定のインタリーブ加工を施し、移動目標付属情報ｄ４として出力するものである。目標付属情報格納部１０５は、インタリーブ回路１０４から出力される移動目標付属情報ｄ４を格納するものである。比較回路１０６は、読取付属情報ｄ１と移動目標付属情報ｄ４とを比較するものである。
【００２１】
以上のように構成される移動終了判定部１００の動作について、以下説明する。
情報再生装置の外部からの指示により、所定のデータ情報の再生要求が生じると、制御回路１０３は、目標付属情報ｄ３をインタリーブ回路１０４に出力する。インタリーブ回路１０４は、目標付属情報ｄ３に対して、情報媒体１０７に記録されている付属情報に施されたインタリーブ手順と同様のインタリーブ加工を施し、これを移動目標付属情報ｄ４として目標付属情報格納部１０５に格納する。
【００２２】
制御回路１０３は、読取素子１０１を、目標付属情報ｄ３の手前付近まで粗い制御で移動、停止させる。読取素子１０１は、移動先にて読取付属情報ｄ１を読み出し、読取付属情報格納部１０２に格納する。比較回路１０６は、目標付属情報格納部１０５に格納されているインタリーブ済みの移動目標付属情報ｄ４と、読取付属情報格納部１０２に格納されている読取付属情報ｄ１のそれぞれの値を比較し、これらの値が一致した場合は、制御回路１０３に対して値が一致した旨を通知する。制御回路１０３は、読取付属情報ｄ１と移動目標付属情報ｄ４の値が一致した旨の通知を受けると、読取素子１０１が、再生要求がなされているデータ情報を読み出すための正確な位置に移動したものと判断する。
【００２３】
以下、本発明の効果について詳しく説明する。
【００２４】
図２（ａ）は、前記従来の移動終了判定部４００による移動終了判定処理の流れを時系列に表す図であり、図２（ｂ）は、本実施の形態１の移動終了判定部１００による移動終了判定処理の流れを時系列に表す図である。また、図２において、ｔ１は、検索開始、及び読取素子１０１，４０１の移動開始時点を、ｔ２は、読取素子１０１の移動終了、及び付属情報の移動終了判定開始時点を、ｔ３は、読取付属情報ｄ１の読み取り終了時点を、また、ｔ４、及びｔ５は、検索終了時点をそれぞれ表す。
【００２５】
図２（ａ）に示すように、従来の移動終了判定部４００による処理によれば、ｔ１にて検索を開始し、読取素子４０１の移動を行なった後、ｔ２から付属情報の読み込みを開始する。ｔ３にて読取付属情報ｄ１の読み込みが完了すると、読取付属情報ｄ１のデインタリーブ加工を行ない、ｔ４にてデインタリーブ加工が完了すると、付属情報ｄ２とｄ３の比較、及び移動終了判定を開始する。
【００２６】
一方、本発明では、検索を開始した時点ｔ１で目標付属情報ｄ３は既に決定しているため、図２（ｂ）に示すように、ｔ１にて目標付属情報ｄ３に対するインタリーブ処理を開始する事が可能である。ここで、通常は、読取素子１０１の移動に必要な時間と、インタリーブ加工に必要な時間は、その読取素子１０１の特性、及びインタリーブの内容にもよるが、読取素子１０１の移動の方が多くの時間を要するのが大半であり、また、インタリーブ処理と読取素子１０１の移動とを並行して行うため、読取素子１０１の移動が終了するｔ２までには、インタリーブ回路１０４にて移動目標付属情報ｄ４を生成することができる。このため、読取付属情報ｄ１の読み込みが完了するｔ３にて読取付属情報ｄ１とｄ４の比較、及び移動終了判定を開始することができ、これにより、従来デインタリーブ加工に要していた時間ｔ４−ｔ３を省く事が可能となり、検索終了に要する時間を短縮することができる。
【００２７】
このように、本実施の形態１では、読み出し処理要求がなされているデータ情報への読取素子１０１の移動が決定した時点で、読取素子１０１が所定のデータ情報に移動する際の目標となる目標付属情報ｄ３に対して、記憶媒体に記憶されている番地情報に施されたインタリーブ処理と同様のインタリーブ処理を施し、情報媒体１０１から読み出した読取付属情報ｄ１とインタリーブ処理後の目標付属情報ｄ３とを即座に比較して読取素子１０１の移動終了判定を行なうこととしたので、従来必要とされていたデインタリーブに要する時間を省略することができ、これにより、付属情報の検索に要する時間を短縮することが可能となる。
【００２８】
（実施の形態２）
図３は本発明の実施の形態２による付属情報検索部における読取素子１０１の移動終了判定部３００の構成を表す図である。なお、図３において、図１、及び図４と同一の構成要素については同じ符号を用い、その説明を省略する。
【００２９】
本実施の形態２の移動終了判定部３００は、上記実施の形態１の移動終了判定部１００における読込付属情報格納部１０２の後段に、上記従来例と同様にデインタリーブ回路４０３を設け、上記従来の付属情報検索方法と、上記実施の形態１の付属情報検索方法とを、制御回路１０３の指示によって切り替えることとしたものである。
【００３０】
図３において、３０１は第１の選択回路であり、読取付属情報格納部１０２から出力される読取付属情報ｄ１、及びデインタリーブ回路４０３から出力される付属情報ｄ２をそれぞれ入力とし、制御回路１０３から出力される制御信号ｓ１に基づいて読取付属情報ｄ１あるいは付属情報ｄ２のいずれかを比較回路１０６に選択出力するものである。３０２は、第２の選択回路であり、制御回路１０３から出力される目標付属情報ｄ３、及びインタリーブ回路１０４から出力される移動目標付属情報ｄ４をそれぞれ入力とし、制御回路１０３から出力される制御信号ｓ１に基づいて目標付属情報ｄ３あるいは移動目標付属情報ｄ４のいずれかを比較回路１０６に選択出力するものである。
【００３１】
また、本実施の形態２の制御回路３０３は、第１の選択回路３０１、及び第２の選択回路３０２に対して、前記各選択回路が出力すべき付属情報を決定するための制御信号ｓ１を出力する。制御信号ｓ１は、情報媒体１０１や読取素子１０１の特性、あるいは再生倍速や読取エラーの発生状態など、情報媒体１０１からのデータの読み取り状況に応じて、その出力が切り替えられる。
【００３２】
以上のように構成される移動終了判定部３００の動作について、以下説明する。
情報再生装置の外部からの指示により、所定のデータ情報の再生要求が生じると、制御回路３０３は、目標付属情報ｄ３をインタリーブ回路１０４、及び第２の選択回路３０２に出力する。インタリーブ回路１０４は、前記実施の形態１と同様に目標付属情報ｄ３に対してインタリーブ加工を施し、これを移動目標付属情報ｄ４として第２の選択回路３０２に出力する。
【００３３】
また、制御回路３０３は、情報媒体１０７の読取素子１０１を、目標付属情報ｄ３の手前付近まで粗い制御で移動、停止させ、移動先にて読み出されたインタリーブ済みの読取付属情報ｄ１を読取付属情報格納部１０２に格納する。読取付属情報格納部１０２に格納された読取付属情報ｄ１は、第１の選択回路３０１に対して出力されると共に、前記従来例と同様にデインタリーブ回路４０３に出力され、デインタリーブ処理が行なわれた後に、付属情報ｄ２として第１の選択回路３０１に出力される。
【００３４】
制御回路３０３は、情報再生装置の情報データの読取状況に応じて、制御信号ｓ１を切り替えて出力している。例えば、再生倍速に応じて制御信号ｓ１の出力を切り替える場合を例とすると、再生倍速が早い場合は、読取エラーが発生する可能性が高いので、上記従来の移動終了判定方法を用いて確実に移動終了を検出する必要があり、このため、制御回路３０３は、第１の選択回路３０１に対してはデインタリーブが施された付属情報ｄ２を選択させ、第２の選択回路３０２に対しては目標付属情報ｄ３を選択させるような制御信号ｓ１を出力する。この場合、第１の選択回路３０１は、制御信号ｓ１を受けて、付属情報ｄ２を比較回路１０６に対して出力し、また、第２の選択回路３０２は、制御信号ｓ１を受けて、目標付属情報ｄ３を比較回路１０６に対して出力する。比較回路１０６は、上記従来の移動終了判定と同様に、付属情報ｄ２と目標付属情報ｄ３とを比較し、その結果を制御回路３０３に出力する。
【００３５】
一方で、再生倍速が低い場合は、読取エラーが発生する可能性が低くなり、かつ再生倍速が早い場合に比べ、情報媒体からの付属情報読取に時間が掛かるため、上記実施の形態１に係る移動終了判定方法を用いて検索時間を削減する必要があり、このため、制御回路３０３は、第１の選択回路３０１に対しては読取付属情報ｄ１を選択させ、第２の選択回路３０２に対してはインタリーブ済みの移動目標付属情報ｄ４を選択させるような制御信号ｓ１を出力する。この場合、第１の選択回路３０１は、制御信号ｓ１を受けて、読取付属情報ｄ１を比較回路１０６に対して出力し、また、第２の選択回路３０２は、制御信号ｓ１を受けて、移動目標付属情報ｄ４を比較回路１０６に対して出力する。比較回路１０６は、上記実施の形態１と同様に、読取付属情報ｄ１と移動目標付属情報ｄ４とを比較し、その結果を制御回路３０３に出力する。
【００３６】
このように、本実施の形態２では、目標付属情報ｄ３とデインタリーブ済の付属情報ｄ２とを比較する従来の移動終了判定方法と、読取付属情報ｄ１と移動目標付属情報ｄ４とを比較する実施の形態１による移動終了判定方法とを、制御回路１０３の指示によって切り替えることとしたので、情報媒体１０７や読取素子１０１の特性、あるいは再生倍速や読取エラーの発生状態など、情報媒体１０７からのデータの読み取り状況に応じて、付属情報の検索精度、及び検索速度の最適化を図ることが可能となる。
【産業上の利用可能性】
【００３７】
本発明にかかる情報再生装置は、高速な再生番地検索機能を有し、光ディスクをはじめとするディスクメディア再生装置等に有用である。またテープメディア再生装置等の用途にも応用できる。
【図面の簡単な説明】
【００３８】
【図１】本発明の実施の形態１の移動終了判定部の構成を示す図である。
【図２】本発明の実施の形態１による効果を説明するための図である。
【図３】本発明の実施の形態２の移動終了判定部の構成を示す図である。
【図４】従来の移動終了判定部の構成を示す図である。
【図５】インタリーブ処理を説明するための図である。
【符号の説明】
【００３９】
１０１、４０１  読取素子
１０２、４０２  読取付属情報格納部
１０３、３０３、４０４  制御回路
１０４  インタリーブ回路
１０５  ４０５  目標付属情報格納回路
１０６、４０６  比較回路
１０７、４０７  情報媒体
３０１、３０２  選択回路
４０３  デインタリーブ回路
ｄ１  読取付属情報
ｄ２  付属情報
ｄ３  目標付属情報
ｄ４  移動目標付属情報
ｓ１  制御信号
【図１】
2006079680.tif 000003
【図２】
2006079680.tif 000004
【図３】
2006079680.tif 000005
【図４】
2006079680.tif 000006
【図５】
2006079680.tif 000007